(57)【要約】【課題】簡単かつ任意に眼球の視線を調整できると共に、眼球の交換が容易かつ商品価値を低下することなく行い得る人形の眼球取付構造を提供する。【解決手段】内部中空状に形成された人形用頭部の貫通した眼球露出穴２に、該頭部内部から眼球を取り付ける構造であって、眼球露出穴位置近傍の頭部内面に先端の固定部７を固定すると共に後頭部１ｂ方向へ向けて突設される取付部本体６と、該取付部本体に対し摺動可能に備えられ、眼球１４を保持すると共に保持される眼球の後方が臨む嵌め合い部１２を備えた眼球押え部９と、該眼球押え部の後方から前記取付部本体に摺動可能に備えられるカシメ部１３とで構成されている。【選択図】  図１
2006136451.tif 000002
【特許請求の範囲】
【請求項１】
内部中空状に形成された人形用頭部の貫通した眼球露出穴に、該頭部内部から眼球を取り付ける構造であって、
眼球露出穴位置近傍の頭部内面に先端を固定すると共に後頭部方向へ向けて突設される取付部本体と、
該取付部本体に対し摺動可能に備えられ、眼球を保持すると共に保持される眼球の後方が臨む嵌め合い部を備えた眼球押え部と、
該眼球押え部の後方から前記取付部本体に摺動可能に備えられるカシメ部とで構成されていることを特徴とする人形用眼球の取付構造。
【請求項２】
取付部本体は、先端に備えられ、眼球露出穴位置よりも上方の頭部内面に固定される固定部と、該固定部から一体的に突出するシャフト部とで構成され、
眼球押え部は、前記取付部本体のシャフト部外径に摺動可能に嵌められる摺動部と、該摺動部外面に一体的に備えられ、保持される眼球の後方が臨む嵌め合い部を備えた環状の眼球押え部本体とで構成され、
カシメ部は、前記取付部本体のシャフト部外径に摺動可能に嵌められることを特徴とする請求項１に記載の人形用眼球の取付構造。
【請求項３】
取付部本体は、先端に備えられ、眼球露出穴位置よりも上方の頭部内面に固定される固定部と、該固定部から一体的に突出するシャフト部とからなり、
該シャフト部は、シャフト部の長さ方向で、遊端側から固定部方向に所定範囲にわたって内設される凹状の中空溝と、該中空溝と連通してシャフト部の外面長さ方向にわたって形成される切欠き溝とで構成された摺動溝を備え、
眼球押え部は、前記摺動溝の中空溝内を摺動可能に配される摺動部と、該摺動部と一体的に備えられ、前記摺動溝の切欠き溝を介して外方に突出する突片と、該突片と一体的に備えられ、保持される眼球の後方が臨む嵌め合い部を備えた環状の眼球押え部本体とで構成され、
カシメ部は、前記摺動溝の中空溝内を摺動可能に配される摺動部と、該摺動部と一体的に備えられ、前記摺動溝の切欠き溝を介して外方に突出する操作部とで構成されていることを特徴とする請求項１に記載の人形用眼球の取付構造。
【請求項４】
眼球押え部本体の嵌め合い部は、眼球の最大直径よりも小径に形成されていることを特徴とする請求項１乃至３のいずれかに記載の人形用眼球の取付構造。
【請求項５】
カシメ部は、取付部本体のシャフト部外径に緊密に嵌り合って摺動する内径を有し、眼球押え部の摺動部内径は前記カシメ部の内径よりも大径に形成されていることを特徴とする請求項２に記載の人形用眼球の取付構造。
【請求項６】
カシメ部の摺動部は、取付部本体のシャフト部に備えた摺動溝内に緊密に嵌り合って摺動する形状を有し、眼球押え部の摺動部は、前記摺動溝内に緩やかに嵌り合って摺動する形状を有していることを特徴とする請求項３に記載の人形用眼球の取付構造。
【請求項７】
請求項１乃至６のいずれかに記載の人形用眼球の取付部構造を備えたことを特徴とする人形用頭部。
【請求項８】
請求項７に記載の人形用頭部を備えたことを特徴とする人形。
【発明の詳細な説明】
【技術分野】
【０００１】
本発明は、人形用眼球の取付構造に関するものである。
【背景技術】
【０００２】
昨今人形需要者層は、低年齢層から高年齢層へと移行している。高年齢層の需要者にあっては、例えば、人形として完成した状態のものを購入する場合もあるが、人形の各パーツ、例えば頭部・脚部・腕部・胴部などを夫々個別に購入し、あるいは完成状態の人形の各パーツを別途他の別売りパーツに交換し、自分の好みの形態の人形に仕上げていくことで自分好みの意匠性を高める需要者も多い。
【０００３】
特に、人形の構成パーツとして最も重要度が高いのは眼球（義眼）であり、この眼球如何によっては人形の表情が左右されてしまう。すなわち、「目は口ほどに物を言う」との諺があるように、眼球の光彩・視線などは人形の表情を左右する重要な構成要素である。
従って、頭部・脚部・腕部・胴部などの主要構成パーツを当初から備えている完成状態の人形であっても、眼球部分のみ組み込まれていない人形が多々あり、これらの人形は、需要者が人形購入後、別途自分の好みに合った眼球を購入して後付している。
【０００４】
このような眼球としては、昨今アクリル材などで形成・装飾したリアル性の高い眼球が提供されており、需要者はこのような眼球を、頭部本体の内方から眼球露出穴に眼球の一部が臨むように固定させていた。このような眼球を備えることにより、人形によりリアル感を与えることができる。
【０００５】
そして、従来このような眼球を取り付ける場合、眼球が簡単に脱落しないように眼球が接触する頭部本体内面の眼球露出穴周縁に接着剤を塗布し、該接着剤を固化させることで固着させていた。
しかし、このような取付方法の場合、眼球を取り付ける際に接着剤が眼球の前面（瞳部分）に付着したり、あるいは眼球を眼球露出穴に押し付けた際に接着剤が眼球の前面にはみ出したりして、眼球前面を汚してしまうことがあった。これでは上述したリアル性の高い眼球の効果が失われてしまう。
【０００６】
また、需要者は、その日の気分・好みによって人形の眼球の色や視線などを変えたいと欲することが多かったが、上述のように接着剤によって固定されていたのでは、眼球の交換ができず、また無理に取り外そうとすると眼球を破損したり、頭部本体の眼球露出穴周縁を破損したりする虞もあった。
【０００７】
そこで、眼球を着脱可能に固定できる眼球の取付構造が需要者に切望されているのが現状である。
このような着脱可能な眼球の取付構造としては、例えばシリコンゴムコンパウンドなどの合成樹脂系粘着材やパテなどを介して眼球を取り付ける構造が提供されている（例えば特許文献１参照)。
このような粘着材やパテなどを用いて眼球を頭部本体の眼球露出穴周縁に取り付けるものとすれば、眼球を汚したりすることもなく、また着脱が可能であるため、眼球の視線位置を眼球固定後であっても再度粘着材やパテなどを剥がして調整することが可能であった。
【特許文献１】特開２００３−４７７８４号公報
【発明の開示】
【発明が解決しようとする課題】
【０００８】
しかし、このような取付構造を採用するものでは、眼球の視線調整時点や眼球の交換時点などにあって、一々粘着材やパテを取り外して眼球の位置調整をし、その後再度粘着材やパテを用いて固着させる必要があり、粘着材やパテの着脱作業が面倒であった。
また、この種の構造であっても、粘着材やパテで固着する際に予め設定した視線位置とした眼球がずれてしまうことがあり、需要者のニーズに応え難いものであった。
本発明は従来技術の有するこのような問題点に鑑みなされたもので、その目的とするところは、簡単かつ任意に眼球の視線を調整できると共に、眼球の交換が容易かつ商品価値を低下することなく行い得る人形の眼球取付構造を提供することである。
【課題を解決するための手段】
【０００９】
上記課題を解決するために、第１の発明は、内部中空状に形成された人形用頭部の貫通した眼球露出穴に、該頭部内部から眼球を取り付ける構造であって、眼球露出穴位置近傍の頭部内面に先端を固定すると共に後頭部方向へ向けて突設される取付部本体と、該取付部本体に対し摺動可能に備えられ、眼球を保持すると共に、保持される眼球の後方が臨む嵌め合い部を備えた眼球押え部と、該眼球押え部の後方から前記取付部本体に摺動可能に備えられるカシメ部とで構成されていることを特徴とする人形用眼球の取付構造としたことである。
【００１０】
第２の発明は、第１の発明において、取付部本体は、先端に備えられ、眼球露出穴位置よりも上方の頭部内面に固定される固定部と、該固定部から一体的に突出するシャフト部とで構成され、眼球押え部は、前記取付部本体のシャフト部外径に摺動可能に嵌められる摺動部と、該摺動部外面に一体的に備えられ、保持される眼球の後方が臨む嵌め合い部を備えた環状の眼球押え部本体とで構成され、カシメ部は、前記取付部本体のシャフト部外径に摺動可能に嵌められることを特徴とする人形用眼球の取付構造としたことである。
【００１１】
第３の発明は、第１の発明において、取付部本体は、先端に備えられ、眼球露出穴位置よりも上方の頭部内面に固定される固定部と、該固定部から一体的に突出するシャフト部とからなり、該シャフト部は、シャフト部の長さ方向で、遊端側から固定部方向に所定範囲にわたって内設される凹状の中空溝と、該中空溝と連通してシャフト部の外面長さ方向にわたって形成される切欠き溝とで構成された摺動溝を備え、眼球押え部は、前記摺動溝の中空溝内を摺動可能に配される摺動部と、該摺動部と一体的に備えられ、前記摺動溝の切欠き溝を介して外方に突出する突片と、該突片と一体的に備えられ、保持される眼球の後方が臨む嵌め合い部を備えた環状の眼球押え部本体とで構成され、カシメ部は、前記摺動溝の中空溝内を摺動可能に配される摺動部と、該摺動部と一体的に備えられ、前記摺動溝の切欠き溝を介して外方に突出する操作部とで構成されていることを特徴とする人形用眼球の取付構造としたことである。
【００１２】
第４の発明は、第１乃至第３の発明において、眼球押え部本体の嵌め合い部は、眼球の最大直径よりも小径に形成されていることを特徴とする人形用眼球の取付構造としたことである。
【００１３】
第５の発明は、第２の発明において、カシメ部は、取付部本体のシャフト部外径に緊密に嵌り合って摺動する内径を有し、眼球押え部の摺動部内径は前記カシメ部の内径よりも大径に形成されていることを特徴とする人形用眼球の取付構造としたことである。
【００１４】
第６の発明は、第３の発明において、カシメ部の摺動部は、取付部本体のシャフト部に備えた摺動溝内に緊密に嵌り合って摺動する形状を有し、眼球押え部の摺動部は、前記摺動溝内に緩やかに嵌り合って摺動する形状を有していることを特徴とする人形用眼球の取付構造としたことである。
【００１５】
第７の発明は、第１乃至第６のいずれかに記載の人形用眼球の取付部構造を備えたことを特徴とする人形用頭部としたことである。
【００１６】
第８の発明は、第７の発明の人形用頭部を備えたことを特徴とする人形としたことである。
【００１７】
本発明によれば、予め頭部内方から眼球露出穴に眼球を位置決め載置し、その後取付部本体に摺動可能に備えた眼球押え部を眼球方向へと摺動させ、該眼球の後面を押さえつけて眼球を眼球露出穴の周縁に押し付ける。そして、その後カシメ部を前記眼球押え部方向へと摺動させ、カシメ部を眼球押え部の摺動部後端に当接させれば、後頭部方向への眼球押え部の戻りが抑えられる。これにより、眼球は頭部本体内方から眼球露出穴の周縁に押し付け固定される。また、この状態で固定された眼球は、その眼球押え部の嵌め合い部から眼球後方が臨んでいるため、取り付け固定後であっても眼球後方に触れて眼球の視線調整が可能である。
【発明の効果】
【００１８】
本発明は、簡単構造で眼球の確実な保持及び交換ができ、商品価値を向上させた人形用の眼球取付構造を提供できる。
また、本発明によれば、眼球取付後であっても眼球位置を上下左右に動かすことができるため、需要者は任意の視線位置が選択でき需要者ニーズに十分応えられる。
【発明を実施するための最良の形態】
【００１９】
以下、本発明の一実施形態を図に基づいて説明する。
なお、本実施形態は本発明の一実施形態にすぎず何等これに限定して解釈されるものではなく本発明の範囲内で適宜設計変更可能である。また、本発明は人形用の眼球取付構造について特徴を有するもので、該眼球取付構造を備える人形用頭部構造や、該人形用頭部を備えた人形全体構造、例えば胴体部（首部を含む）・脚部・腕部などの他の構造については、特に限定解釈されるものではなく本発明の範囲内で設計変更可能である。
また、本実施例では、人間を模写した人形を代表例として説明するが、所望な眼球部分を備える人形であれば、ロボットタイプ、怪獣タイプなどの種々の外観形状を有する人形に適用される。
【実施例１】
【００２０】
本発明の人形用の眼球取付構造は、例えば種々の人形に適用可能であるが、特にソフトビニル製大型人形（例えば全高６０ｃｍ程度）の軟質製頭部内に備えられる眼球取付構造として用いられる。
図１にて、１は軟質製の頭部本体、３は操作開口部、４は蓋部、５は眼球取付構造を示す。
【００２１】
軟質製の頭部本体１は、任意の熱可塑性樹脂にて、例えば回転成形・スラッシュ成形などにより内部中空状に一体成形される。図中２は、眼球露出穴を示す。眼球露出穴２は、頭部本体１の成形時に、該頭部本体１の所定箇所に貫通状に形成されるものであるが、頭部本体１の成形時には非貫通状で、頭部本体１若しくは頭部本体１を備えた人形を購入後、需要者が個人的にカッターなどの治具により開口するものであってもよい。
なお、頭部本体１に形成される顔表情や図示しない耳形状などにあっては任意であって限定はされない。
また、本実施例１では図示省略するが、頭部本体１には、人形用胴体部から突出する首部骨格を嵌入保持する開口縁を設けるものとする。
【００２２】
眼球露出穴２は、頭部本体１の顔正面所定位置から頭部本体１の内方に向けて貫通状に開口されている。この眼球露出穴２は、配設対象とされる眼球１４を頭部本体内面１ａの眼球露出穴周縁２ａと密接状に当接可能であればよく、配設対象とされる眼球１４の径よりも周縁径が僅かに小径であっても同一径であってもよい。また、眼球露出穴２の形状は特に限定されず本発明の範囲内で、丸目形状、切れ長目形状、垂れ目形状、つり目形状など適宜所望な形状を選択できる。
なお、前記眼球露出穴２をその肉厚方向に厚肉に形成して、眼球１４の瞳部分１５ａを眼球露出穴２の内方（頭部本体１の後頭部１ｂ方向）に位置するように構成することで、例えば奥目形状などを構成するものとしてもよく、適宜本発明の範囲内で設計変更可能である。
さらに、本実施例では図示しないが、頭部本体内面１ａの眼球露出穴周縁２ａに、まつ毛の基端側を接着剤又は粘着材により固定してまつ毛を備えるものとしてもよい。
まつ毛は、実施の形態に応じて上下の双方若しくは一方のみを備えたり、色や形態を変えることが可能である。またまつ毛を備えない形態も本発明の範囲内である。
【００２３】
操作開口部３は、前記頭部本体１における頭頂部１ｃの所望領域を選択して略円形状に設けられている。なお、操作開口部３の開口径は特に限定されないが、使用勝手の面からすると、大径に形成されている方が好ましく、少なくとも、需要者の指を差し込んで眼球取付構造５の配設操作や眼球１４の視線位置変更操作が可能な程度の開口径を選択して形成する。
この操作開口部３は、頭部本体１の成形時に形成されるものであっても、頭部本体１の成形後に所望形状にくり貫くものであつてもよく任意である。
なお、操作開口部３は、後頭部１ｂの所望領域を選択して設けるものであってもよい。
【００２４】
蓋部４は、前記頭部本体１の頭頂部１ｃに形成されている操作開口部３を、着脱可能に密閉して取り付けられ、本実施例では、操作開口部３の形状に合致する円形状に形成されている。図示例では、特に嵌合形状を省略するが、蓋部４と操作開口部３とには、任意の嵌合形状を備え、容易に蓋部４が外れないように構成するのが好ましい。なお、蓋部４の形状は、操作開口部３の形状と合致して着脱可能に構成されるものであれば本発明の範囲内で任意の形状が選択可能である。
【００２５】
本実施例によって形成された頭部構造は、頭頂部１ｃに蓋部４の輪郭形状が現れるが、この輪郭形状は、例えば頭部に植毛される髪の毛によって隠せるものであるため全く視覚的にも支障はない。さらに、人形によってはカツラを使用するもの、例えば色々なスタイルや染毛のカツラを好みによって付け替える人形もあるため、このような人形にあってはカツラによって蓋部輪郭形状が隠されてしまうため上記同様全く支障はない。
【００２６】
眼球取付構造５は、図１及び図２に示すように、取付部本体６と、眼球押え部９と、カシメ部１３とで構成されている。
【００２７】
取付部本体６は、半球形状の固定部７と、該固定部裏面７ｂに直交して一体的に突出する長尺円柱状のシャフト部８とで構成され、眼球露出穴２位置近傍の頭部本体内面１ａに、前記固定部７を接着剤（好ましくは瞬間接着剤）などで固定し、シャフト部８を後頭部１ｂ方向へ向けて突設する。
また、シャフト部８の長さは、眼球押え部９とカシメ部１３が摺動して眼球１４を着脱できる長さ方向の領域を有していればよく、特に限定はされないが、少なくとも頭部本体１内に収納される長さとする。
尚、固定部７およびシャフト部８の構成は、特に本実施例に限定されず本発明の範囲内で設計変更可能である。
【００２８】
眼球押え部９は、図１乃至図３に示すように、前記取付部本体６のシャフト部８の外径に摺動可能に嵌められる小径円環状の摺動部１０と、該摺動部１０の外面に一体的に備えられ、保持される球体状眼球１４の後方が臨む嵌め合い部１２を備えた円環状の眼球押え部本体１１とで構成されている。
【００２９】
前記摺動部１０の内径Ｄ２は、前記シャフト部８の外径Ｄ１よりも大径（Ｄ１＜Ｄ２）に形成され、シャフト部８の外径を緩やかな遊びをもって嵌め合わされている。
眼球押え部本体１１の嵌め合い部１２（内径Ｄ４）は、円環状に形成され、保持対象となる球体状眼球１４の最大直径Ｄ５よりも小径に形成されている。
特に限定解釈はされないが、摺動部１０は、摺動性に優れた材質で構成するか、若しくは摺動性の良いコーティング材を少なくとも摺動部１０の内径に設けるものとすると摺動部１０の摺動性が向上する。また、眼球押え部本体１１の嵌め合い部１２の内径Ｄ４にあっては、該嵌め合い部１２によって嵌め合い保持される眼球１４の視線を適宜操作変更した際に、その変更位置で眼球１４を保持できるのが好ましいため、摩擦抵抗の高い材質で構成するか、若しくは摩擦抵抗の高いコーティング材を少なくとも嵌め合い部１２の内径に設けるものとすると眼球１４の視線位置の保持性が向上する。
なお、本実施例において摺動部１０は、眼球押え部本体１１よりも前方水平方向に突出する長尺円筒形状に形成されているが、これは摺動部１０の補強を向上させるためで限定されるものではなく、眼球押え部本体１１と同一肉厚の短尺に形成されるものであってもよく本発明の範囲内で設計変更可能である。また、摺動部１０及び眼球押さえ部本体１１の外観形状は特に限定解釈されるものではなく、摺動部１０はシャフト部８の外径を摺動可能な内径を有し、眼球押え部本体１１は、嵌め合い部１２を有するものであれば全て本発明の範囲内である。
【００３０】
カシメ部１３は、前記取付部本体６のシャフト部８の外径に摺動可能に嵌められる小径円環状に形成されており、前記シャフト部８の外径Ｄ１に緊密に嵌り合って摺動する内径Ｄ３を有し、眼球押え部９の後方から前記取付部本体６に摺動可能に嵌め込まれて、眼球押え部９のシャフト部８の軸方向への自由移動を阻止する。
すなわち、カシメ部１３の内径Ｄ３は、眼球押え部９の摺動部１０の内径Ｄ２よりも小径に形成されている（Ｄ１＜Ｄ３＜Ｄ２）。
なお、カシメ部１３の全体外観形状は特に限定されず前記内径Ｄ３を有するものであれば本発明の範囲内である。
【００３１】
本実施例で対象とされる眼球１４は、前記眼球押え部９の嵌め合い部１２に最大直径Ｄ５位置よりも後方の面１５ｂが嵌め合わされて上下左右に滑動自在に収容保持される全体球体状に形成される眼球本体１５と、該眼球本体１５の瞳部分１５ａと相対向する後方位置に一体的に備えられている眼球遊動操作部１６とで構成されている。
【００３２】
眼球本体１５は、本実施例では、球状に形成されているが、瞳部分１５ａを備えた眼球前面の湾曲部分を有しているもので、かつ嵌め合い部１２によって脱落することなく保持可能な形状であれば特にその形状には限定されない。
前記眼球遊動操作部１６は、眼球本体１５の瞳部分１５ａと相対向する後方位置から所望長さの杆状に突出して備えられており、前記眼球押え部本体１１の嵌め合い部１２を通して頭部本体１内に突状に備えられる。この操作部１６は、本実施例では杆状に形成されているが、需要者が眼球１４を遊動させて視線位置を調整する際に、容易に摘める形状を有しているものであればよく限定はされない。
【００３３】
ここで、本実施例の眼球取付構造の取付工程の一例について説明する。
まず、取付部本体６のシャフト部８の後端から摺動部１０を嵌め合わせて眼球押え部９をシャフト部８に備える。
そして次に、眼球押え部９の嵌め合い部１２に眼球を嵌め合わせると共に、固定部７方向へと摺動させ、その状態で頭部本体１の内方から眼球露出穴２に眼球１４を押し付ける。なお、この時、眼球露出穴２が開口されていない場合には、予めカッターナイフなどの治具で所定の開口に眼球露出穴２を貫通形成する。
【００３４】
そして、眼球１４位置を調整した後に、取付部本体６の固定部前面７ａを眼球露出穴２上方の頭部本体内面１ａに当接させてシャフト部８が水平になるように位置決めをすると共に、その頭部本体内面１ａと固定部前面７ａとの当接部位に瞬間接着剤を塗布する。これにより、取付部本体６が頭部本体１の眼球露出穴２の上方から後頭部１ｂ方向に向けて水平方向に突設される。
このような位置決め作業の段階において、眼球１４の前面に両面テープなどを貼り付けておき、眼球配設位置を仮止めすれば取付部本体６の取り付け作業が容易となる。
なお、接着剤が完全に固化したらシャフト部８から眼球押え部９を引き抜くと共に、眼球１４を取り外し、眼球１４に貼り付けてあった仮止め用の両面テープを剥がす。
本発明によれば、取付部本体６を頭部本体１の任意箇所に備えることが可能なため、頭部本体１の形状に応じた配設位置に適宜位置決め作業し得る。
【００３５】
次に、再度、シャフト部８の後端から摺動部１０を嵌め合わせて眼球押え部９をシャフト部８に備え、そしてその嵌め合い部１２に眼球１４を嵌め合わせると共に、固定部７方向へと摺動させ、該眼球押え部９の嵌め合い部１２と、眼球露出穴周縁２ａとの間で眼球１４を前後方向から押圧保持する。
そしてその後、シャフト部８の後端からカシメ部１３を嵌め合わせて固定部７方向へと摺動させ、眼球押え部９の摺動部１０後端にカシメ部前端１３ａを当接させる。これにより眼球押え部９はシャフト部８方向への摺動が阻止され、眼球１４が所定位置に取り付けられる。
そして、操作開口部３に蓋部４を取り付けて、該開口部３を閉鎖する。
なお、上述の説明では、一方の眼球取付構造５の取付工程のみを説明したが、他方の眼球取付構造５にあっても同様に行うものである。
【００３６】
また、人形の視線を好みによって変えてみたい場合、頭頂部１ｃの蓋部４を外し、眼球押え部９の嵌め合い部１２に保持されている眼球１４から、前記嵌め合い部１２を通して突出している眼球遊動操作部１６を摘んで上下左右に動かすことにより、人形の視線を好みの視線に変更設定することができる。そして、設定した後には再び頭頂部１ｃを蓋部４によって閉蓋すればよい。
そして、眼球の色や光彩を変えたい場合、今まで取り付けていた眼球１４に代えて他の眼球を取り付ける。この場合、蓋部４を外し、そしてカシメ部１３をシャフト部８の後端方向へと摺動移動させ、次に眼球押え部９をシャフト部８の後端方向へと摺動移動させる。そして、眼球１４を嵌め合い部１２から取り外すと共に、新しい眼球１４を嵌め合い部１２に嵌め込む。そして、再び眼球押え部９を眼球露出穴２方向へと摺動移動させ、その後カシメ部１３を眼球押え部９方向へと摺動移動させて、該眼球押え部９の摺動部後端１０ａに当接させる。これにより、新しい眼球が頭部内方から眼球露出穴２の周縁２ａに押圧保持される。このように本実施例によれば簡単かつ確実に眼球１４の交換作業が成し得る。
【００３７】
上述したような本実施例の人形用の眼球取付構造５を備えた人形用頭部や、該人形用頭部を備えた人形とすれば、需要者のニーズに対応した人形の提供が図れるため人形としての商品価値が向上する。なお、人形用頭部の構成や、該頭部を備えた人形の構成にあっては特に限定されず本発明の範囲内で種々の構成が採用可能である。
「変形例１」
【００３８】
図３（ｂ）は、眼球押え部９の変形例で、本変形例では、球体状眼球１４に代えて、瞳部分１５ａに相対向する後方の面が平坦な面１７に形成されている半球体状の眼球１４を保持対象とした実施の一例である。なお、その他の構成及び作用効果は実施例１と同様であるためその説明は省略する。
すなわち、本変形例では、眼球押え部本体１１の嵌め合い部１２形状を前記実施例１と異なる形状を採用している。具体的にその構成を図３（ｂ）に基づいて説明すると、眼球１４の最大直径Ｄ５を収容すると共に、平坦面（後面）１７の上縁１９を受ける段部１８が嵌め合い部１２の穴周方向にわたって全周に連続して形成されている。なお、この段部１８は、断続的に複数個設けられている実施の形態も採用可能である。
「変形例２」
【００３９】
図３（ｃ）は、取付部本体６の固定部７の変形例で、本変形例では、固定部７の前面７ａに複数の縦溝２０を設けて接着性を向上させている。なお、縦溝２０に代えて横溝であっても、縦横が交差した溝であってもよい。なお、その他の構成及び作用効果は実施例１と同様であるためその説明は省略する。
「変形例３」
【００４０】
なお、図示は省略するが、次のような構成も本実施例の変形例として挙げることが出来る。
左右の眼球取付用の取付部本体を固定部側で一体に形成してなるものであってもよく、このように構成すれば左右の眼球取付用の取付部本体が、一度に頭部本体内面の所定位置に配設することができる。
また、左右の眼球取付用の取付部本体を、頭部本体内面の夫々の眼球露出穴の上下に一対ずつ備える構成も採用可能である。この場合、眼球押え部は、眼球押え部本体の上下に一つずつ摺動部を備え、カシメ部は上下の取付部本体のシャフト部毎に一つずつ備えるか、上下の摺動部を一体的に形成した構成であってもよい。
【実施例２】
【００４１】
本実施例２は、実施例１のように取付部本体６のシャフト部８の外径を、眼球押え部９の摺動部１０とカシメ部１３が摺動移動する実施の形態に代えて、シャフト部８の内部を眼球押え部９の摺動部１０とカシメ部１３が摺動移動する実施の一形態である。
【００４２】
例えば、その一例を図４に基づいて説明すると、シャフト部８は、シャフト部８の長さ方向で、遊端（後端）２１側から固定部７方向に所定範囲にわたって内設される凹状の中空溝２２ａと、該中空溝２２ａと連通してシャフト部８の外面長さ方向にわたって形成される切欠き溝２２ｂとで構成された断面視略Ｔ字形状の摺動溝２２を備えて構成されている。固定部７、その他の構成は実施例１で説明した構成と同様である。
【００４３】
眼球押え部９は、前記摺動溝２２の中空溝２２ａ内を摺動可能に配される摺動部２３と、該摺動部２３と一体的に備えられ、前記摺動溝２２の切欠き溝２２ｂを介して外方に突出する突片２４と、該突片２４と一体的に備えられ、保持される眼球１４の後方が臨む嵌め合い部１２を備えた円環状の眼球押え部本体１１とで構成されている。すなわち、摺動部２３と突片２４とによって、前記シャフト部８内に設けた断面視略Ｔ次形状の摺動溝２２に摺動可能に嵌り合う断面視略Ｔ字形状を構成する。眼球押え部本体１１は、実施例１で説明した構成と同様である。
【００４４】
カシメ部１３は、前記摺動溝２２の中空溝２２ａ内を摺動可能に配される摺動部２５と、該摺動部２５と一体的に備えられ、前記摺動溝２２の切欠き溝２２ｂを介して外方に突出する操作部２６とで断面視略Ｔ字形状に構成されている。
なお、本実施例において、カシメ部１３の摺動部２５は、取付部本体６のシャフト部８に備えた摺動溝２２内に緊密に嵌り合って摺動する形状を有し、眼球押え部９の摺動部２３は、前記摺動溝２２内に緩やかに嵌り合って摺動する形状を有している。
本実施例によれば、眼球押え部９の摺動部２３とカシメ部１３の摺動部２５がシャフト部８の摺動溝２２内をシャフト部８方向に摺動移動するものであるが、その摺動面が内外で異なるにすぎず、作用効果にあっては実施例１と同様であるため、その説明は省略する。
【図面の簡単な説明】
【００４５】
【図１】本発明人形用の眼球取付構造を人形用頭部の内面に備えた概略断面図。
【図２】人形用の眼球取付構造の分解斜視図。
【図３】（ａ）は実施例１の眼球押え部に眼球を嵌め合わせた状態を示す断面図、（ｂ）は実施例１の変形例の眼球押え部に眼球を嵌め合わせた状態を示す断面図、（ｃ）は取付部本体の固定部の変形例を示す部分拡大斜視図。
【図４】本発明人形用の眼球取付構造の実施例２を示し、（ａ）は一部縦断して示す側面図、（ｂ）は眼球押え部とシャフト部との嵌合状態を示す縦断面図、（ｃ）はカシメ部とシャフト部との嵌合状態を示す縦断面図。
【符号の説明】
【００４６】
１：頭部本体
２：眼球露出穴
５：眼球取付構造
６：取付部本体
７：固定部
８：シャフト部
９：眼球押え部
１０：摺動部
１１：眼球押え部本体
１２：嵌め合い部
１３：カシメ部
【図１】
2006136451.tif 000003
【図２】
2006136451.tif 000004
【図３】
2006136451.tif 000005
【図４】
2006136451.tif 000006